【手続補正書】
【提出日】平成16年8月20日(2004.8.20)
【手続補正１】
【補正対象書類名】明細書
【補正対象項目名】発明の名称
【補正方法】変更
【補正の内容】
【発明の名称】オーディオ信号のエンコード方法、オーディオ信号送信受信方法、コンピュータプログラムの記録媒体、及びオーディオ信号のデコード方法
【手続補正２】
【補正対象書類名】明細書
【補正対象項目名】特許請求の範囲
【補正方法】変更
【補正の内容】
【特許請求の範囲】
【請求項１】
マルチチャネルのアナログオーディオ信号の第１のグループのチャネルと第２のグループのチャネルとでそれぞれ同一または異なる第１及び第２のサンプリング周波数（ｆｓ１、ｆｓ２）によりグループ別にＡ／Ｄ変換してオーディオデータを生成するステップと、
複数のオーディオオブジェクト（ＡＯＢ）を含むオーディオタイトルセット（ＡＴＳ）と、スチルピクチャセット（ＳＰＳ）とを有し、
前記オーディオオブジェクト（ＡＯＢ）が、
実データとして前記オーディオデータを有する第１のパックのみにより構成された第１のタイプのオーディオ・セル（ＡＴＳ−Ｃ）から構成される第１のオーディオオブジェクト（ＡＯＢ）と、
前記第１のパック、及び実データとして前記オーディオデータに関するリアルタイムインフォメーションデータを有する第２のパックにより構成された第２のタイプのオーディオ・セル（ＡＴＳ−Ｃ）から構成される第２のオーディオオブジェクト（ＡＯＢ）の２種類で構成され、
さらに、前記スチルピクチャセット（ＳＰＳ）が前記オーディオデータに関するスチルピクチャデータを含む第３のパックを有し、
前記オーディオタイトルセット（ＡＴＳ）は前記オーディオ・セル（ＡＴＳ−Ｃ）のタイプを識別するタイプ識別データ（ＡＴＳ−Ｃ−ＴＹ）を含むと共に前記複数のオーディオオブジェクト（ＡＯＢ）が所定の再生順に再生されるための制御情報であってオーディオ・セル単位で再生制御するためのオーディオ・セル・プレイバック・インフォメーション（ＡＴＳ−Ｃ−ＰＢＩ）を有する制御情報（ＡＴＳ−ＰＧＣＩＴ）を含むオーディオタイトルセット・インフォメーション（ＡＴＳＩ）が配置され、このオーディオタイトルセット・インフォメーション（ＡＴＳＩ）は、前記スチルピクチャセット（ＳＰＳ）内のスチルピクチャデータをページ制御する制御情報であってシーケンシャル再生モード（シーケンシャル）とランダム再生モード（ランダム）とを識別するモードデータ（ディスプレイオーダーモード）を含むスチルピクチャ制御情報（ＳＰＣＩＴ）を有しており、
さらに、前記第１のパック内には前記オーディオデータが記録されるパケットを有し、前記パケットにはさらに前記オーディオデータの第１及び第２のサンプリング周波数（ｆｓ１、ｆｓ２）が記録されるプライベートヘッダを有するように構成される、
データ構造にフォーマット化するステップと、
からなるオーディオ信号のエンコード方法。
【請求項２】
請求項１に記載のオーディオ信号のエンコード方法によりエンコードされて生成されたデータ構造のデータを送信または受信するオーディオ信号送信受信方法であって、
前記データを所定の通信フォーマットに変換して送信し、または前記所定の通信フォーマットに変換されたデータを受信して元のデータに復元するステップを有するオーディオ信号送信受信方法。
【請求項３】
請求項１に記載のオーディオ信号のエンコード方法によりエンコードされて生成されたデータ構造が記録されたデータをデコードするコンピュータプログラムが記録されたコンピュータプログラムの記録媒体であって、
前記記録されたオーディオタイトルセット（ＡＴＳ）に配置されるオーディオタイトルセット・インフォメーション（ＡＴＳＩ）からスチルピクチャのモードデータ（ディスプレイオーダーモード）を含むスチルピクチャ制御情報（ＳＰＣＩＴ）をデコードしてモードデータ（ディスプレイオーダーモード）を取り出す第１のデコードのステップと、
前記記録されたオーディオタイトルセット（ＡＴＳ）に配置される第１のパック、及び第２のパック、さらにスチルピクチャセット（ＳＰＳ）に配置される第３のパックを識別する第２のデコードのステップと、
前記第２のデコードのステップから取り出されたそれぞれのパックからオーディオデータ、リアルタイムインフォメーションデータ、及びスチルピクチャデータをデコードする第３のデコードのステップと、
少なくとも前記第１のデコードのステップから取り出されたモードデータ（ディスプレイオーダーモード）に基づいて前記第２のデコードのステップで取り出されたスチルピクチャデータを、制御して単独で／または前記オーディオデータと共に出力するステップとを、有するコンピュータプログラムの記録媒体。
【請求項４】
請求項１に記載のオーディオ信号のエンコード方法によりエンコードされて生成されたデータ構造が記録されたデータをデコードするオーディオ信号のデコード方法であって、
前記記録されたオーディオタイトルセット（ＡＴＳ）に配置されるオーディオタイトルセット・インフォメーション（ＡＴＳＩ）からスチルピクチャのモードデータ（ディスプレイオーダーモード）を含むスチルピクチャ制御情報（ＳＰＣＩＴ）をデコードしてモードデータ（ディスプレイオーダーモード）を取り出す第１のデコードのステップと、
前記記録されたオーディオタイトルセット（ＡＴＳ）に配置される第１のパック、及び第２のパック、さらにスチルピクチャセット（ＳＰＳ）に配置される第３のパックを識別する第２のデコードのステップと、
前記第２のデコードのステップから取り出されたそれぞれのパックからオーディオデータ、リアルタイムインフォメーションデータ、及びスチルピクチャデータをデコードする第３のデコードのステップと、
少なくとも前記第１のデコードのステップから取り出されたモードデータ（ディスプレイオーダーモード）に基づいて前記第２のデコードのステップで取り出されたスチルピクチャデータを、制御して単独で／または前記オーディオデータと共に出力するステップとを、有するオーディオ信号のデコード方法。
【手続補正３】
【補正対象書類名】明細書
【補正対象項目名】０００１
【補正方法】変更
【補正の内容】
【０００１】
【発明の属する技術分野】本発明は、オーディオ信号のエンコード方法、オーディオ信号送信受信方法、コンピュータプログラムの記録媒体、及びオーディオ信号のデコード方法に関する。
【手続補正４】
【補正対象書類名】明細書
【補正対象項目名】０００６
【補正方法】変更
【補正の内容】
【０００６】
そこで、本発明は、オーディオ信号を主として記録する場合にユーザにとって簡易に再生することができて使い勝手がよく、また、実時間の管理を簡単にすることができるオーディオ信号のエンコード方法、オーディオ信号送信受信方法、コンピュータプログラムの記録媒体、及びオーディオ信号のデコード方法を提供することを目的とする。
【手続補正５】
【補正対象書類名】明細書
【補正対象項目名】０００８
【補正方法】変更
【補正の内容】
【０００８】
１）マルチチャネルのアナログオーディオ信号の第１のグループのチャネルと第２のグループのチャネルとでそれぞれ同一または異なる第１及び第２のサンプリング周波数（ｆｓ１、ｆｓ２）によりグループ別にＡ／Ｄ変換してオーディオデータを生成するステップと、
複数のオーディオオブジェクト（ＡＯＢ）を含むオーディオタイトルセット（ＡＴＳ）と、スチルピクチャセット（ＳＰＳ）とを有し、
前記オーディオオブジェクト（ＡＯＢ）が、
実データとして前記オーディオデータを有する第１のパックのみにより構成された第１のタイプのオーディオ・セル（ＡＴＳ−Ｃ）から構成される第１のオーディオオブジェクト（ＡＯＢ）と、
前記第１のパック、及び実データとして前記オーディオデータに関するリアルタイムインフォメーションデータを有する第２のパックにより構成された第２のタイプのオーディオ・セル（ＡＴＳ−Ｃ）から構成される第２のオーディオオブジェクト（ＡＯＢ）の２種類で構成され、
さらに、前記スチルピクチャセット（ＳＰＳ）が前記オーディオデータに関するスチルピクチャデータを含む第３のパックを有し、
前記オーディオタイトルセット（ＡＴＳ）は前記オーディオ・セル（ＡＴＳ−Ｃ）のタイプを識別するタイプ識別データ（ＡＴＳ−Ｃ−ＴＹ）を含むと共に前記複数のオーディオオブジェクト（ＡＯＢ）が所定の再生順に再生されるための制御情報であってオーディオ・セル単位で再生制御するためのオーディオ・セル・プレイバック・インフォメーション（ＡＴＳ−Ｃ−ＰＢＩ）を有する制御情報（ＡＴＳ−ＰＧＣＩＴ）を含むオーディオタイトルセット・インフォメーション（ＡＴＳＩ）が配置され、このオーディオタイトルセット・インフォメーション（ＡＴＳＩ）は、前記スチルピクチャセット（ＳＰＳ）内のスチルピクチャデータをページ制御する制御情報であってシーケンシャル再生モード（シーケンシャル）とランダム再生モード（ランダム）とを識別するモードデータ（ディスプレイオーダーモード）を含むスチルピクチャ制御情報（ＳＰＣＩＴ）を有しており、
さらに、前記第１のパック内には前記オーディオデータが記録されるパケットを有し、前記パケットにはさらに前記オーディオデータの第１及び第２のサンプリング周波数（ｆｓ１、ｆｓ２）が記録されるプライベートヘッダを有するように構成される、
データ構造にフォーマット化するステップと、
からなるオーディオ信号のエンコード方法。
２）１）に記載のオーディオ信号のエンコード方法によりエンコードされて生成されたデータ構造のデータを送信または受信するオーディオ信号送信受信方法であって、
前記データを所定の通信フォーマットに変換して送信し、または前記所定の通信フォーマットに変換されたデータを受信して元のデータに復元するステップを有するオーディオ信号送信受信方法。
３）１）に記載のオーディオ信号のエンコード方法によりエンコードされて生成されたデータ構造が記録されたデータをデコードするコンピュータプログラムが記録されたコンピュータプログラムの記録媒体であって、
前記記録されたオーディオタイトルセット（ＡＴＳ）に配置されるオーディオタイトルセット・インフォメーション（ＡＴＳＩ）からスチルピクチャのモードデータ（ディスプレイオーダーモード）を含むスチルピクチャ制御情報（ＳＰＣＩＴ）をデコードしてモードデータ（ディスプレイオーダーモード）を取り出す第１のデコードのステップと、
前記記録されたオーディオタイトルセット（ＡＴＳ）に配置される第１のパック、及び第２のパック、さらにスチルピクチャセット（ＳＰＳ）に配置される第３のパックを識別する第２のデコードのステップと、
前記第２のデコードのステップから取り出されたそれぞれのパックからオーディオデータ、リアルタイムインフォメーションデータ、及びスチルピクチャデータをデコードする第３のデコードのステップと、
少なくとも前記第１のデコードのステップから取り出されたモードデータ（ディスプレイオーダーモード）に基づいて前記第２のデコードのステップで取り出されたスチルピクチャデータを、制御して単独で／または前記オーディオデータと共に出力するステップとを、有するコンピュータプログラムの記録媒体。
４）１）に記載のオーディオ信号のエンコード方法によりエンコードされて生成されたデータ構造が記録されたデータをデコードするオーディオ信号のデコード方法であって、
前記記録されたオーディオタイトルセット（ＡＴＳ）に配置されるオーディオタイトルセット・インフォメーション（ＡＴＳＩ）からスチルピクチャのモードデータ（ディスプレイオーダーモード）を含むスチルピクチャ制御情報（ＳＰＣＩＴ）をデコードしてモードデータ（ディスプレイオーダーモード）を取り出す第１のデコードのステップと、
前記記録されたオーディオタイトルセット（ＡＴＳ）に配置される第１のパック、及び第２のパック、さらにスチルピクチャセット（ＳＰＳ）に配置される第３のパックを識別する第２のデコードのステップと、
前記第２のデコードのステップから取り出されたそれぞれのパックからオーディオデータ、リアルタイムインフォメーションデータ、及びスチルピクチャデータをデコードする第３のデコードのステップと、
少なくとも前記第１のデコードのステップから取り出されたモードデータ（ディスプレイオーダーモード）に基づいて前記第２のデコードのステップで取り出されたスチルピクチャデータを、制御して単独で／または前記オーディオデータと共に出力するステップとを、有するオーディオ信号のデコード方法。